(57)【要約】【課題】優れた安定性と高い輝度を持つ多元系窒化物蛍光体について、安価な原料を用い、短時間かつ効率的に合成する経済性に優れた製造技術を提供する。【解決手段】複数以上の金属元素、半金属元素を含む多元系窒化物を母体結晶とする蛍光体において、母体結晶の構成元素の単体、母体結晶の構成元素の化合物及び構成元素の合金の少なくとも１種類と発光中心となる元素及びこれらの元素の化合物の少なくとも１種類とを含む原料を、窒素を除く構成元素の割合が目的とする組成の構成比となるように調合し、これらの混合物を、窒素を含む雰囲気中で自己伝播する燃焼反応を用いて、多元系窒化物を母体結晶とする多元系窒化物蛍光体を製造する。【効果】多元系窒化物蛍光体の新規製造方法及びその製品を提供することができる。【選択図】図２
2008255199.tif 000002
【特許請求の範囲】
【請求項１】
複数の金属元素乃至半金属元素を構成元素として含む多元系窒化物を母体結晶とする多元系窒化物蛍光体を製造する方法であって、構成元素の単体、構成元素の化合物及び構成元素の合金の少なくとも１種類と、発光中心となる元素及びその元素の化合物の少なくとも１種類とを含む原料を、窒素を除く構成元素の割合が目的とする組成の構成比となるように調合し、窒素を含む雰囲気中で自己伝播する燃焼反応を用いた燃焼合成により、多元系窒化物を母体結晶とする窒化物蛍光体を製造することを特徴とする窒化物蛍光体の製造方法。
【請求項２】
多元系窒化物が、ケイ素を含む窒化物であって、ケイ素以外の構成元素の単体及びそのケイ化物の少なくとも１種類と、ケイ素及び窒化ケイ素の少なくとも１種類と、発光中心となる元素の単体及びその元素の化合物の少なくとも１種類とを含む原料を、窒素を除く構成元素の割合が目的とする組成の構成比となるように調合する、請求項１に記載の窒化物蛍光体の製造方法。
【請求項３】
発光中心となる元素が、Ｍｎ，Ｃｅ，Ｐｒ，Ｎｄ，Ｓｍ，Ｅｕ，Ｇｄ，Ｔｂ，Ｄｙ，Ｈｏ，Ｅｒ，Ｔｍ，Ｙｂ，Ｌｕから選択される１種である、請求項１又は２に記載の窒化物蛍光体の製造方法。
【請求項４】
母体結晶となる多元系窒化物が、ケイ素とマグネシウムあるいはケイ素とランタンから構成される、請求項１から３のいずれかに記載の窒化物蛍光体の製造方法。
【請求項５】
母体結晶となる多元系窒化物が、ＬａＳｉ３Ｎ５あるいはＭｇＳｉＮ２の結晶構造を持つ、請求項１から４のいずれかに記載の窒化物蛍光体の製造方法。
【請求項６】
母体結晶となる多元系窒化物の結晶構造が、ＬａＳｉ３Ｎ５であって、発光中心を形成する元素Ｒｅが、組成式Ｌａ１−ｙＲｅｙＳｉ３Ｎ５−ｘＯｘ（Ｒｅ：発光中心となる元素）において、０．００５≦ｙ≦０．２の範囲で含まれるように該Ｒｅを添加する、請求項５に記載の窒化物蛍光体の製造方法。
【請求項７】
耐圧気密容器中において、少なくとも１気圧の窒素分圧中で燃焼合成を行う、請求項１から６のいずれかに記載の窒化物蛍光体の製造方法。
【請求項８】
燃焼合成を行うための耐圧気密容器がガス浄化装置を介して接続されたシステムを用いて、１）第１耐圧気密容器内に設置した出発原料について、１気圧又はそれを上回る気圧の窒素を含むガス圧中で燃焼合成を行い、２）予め次の出発原料を設置し、真空ポンプで真空状態にされた第２耐圧気密容器にガス浄化装置を通して、第１耐圧気密容器内の残りのガスを第２耐圧気密容器に充填させ、また適宜補充用ガスを補充し、３）その後、第２耐圧気密容器内で原料の燃焼合成を行い、４）この間に、第１耐圧気密容器内の合成物を取り出し、次の原料を設置し、内部を真空引きし、５）燃焼合成を終えた耐圧容器よりガス浄化装置でガスを高純度化させ、容器に窒素を充填する、また、適宜補充用ガスを補充する、ことにより、窒素ガスを有効に利用しかつ効率的に燃焼合成を行う、請求項１から７のいずれかに記載の窒化物蛍光体の製造方法。
【請求項９】
上記システムにおいて、ガス浄化装置を介して耐圧気密容器を少なくても３組接続する、請求項８に記載の窒化物蛍光体の製造方法。
【請求項１０】
請求項１から９のいずれかに記載の方法で得られる窒化物を、窒素を含む雰囲気中少なくても１０００℃の高温度でアニール処理を行うことを特徴とする多元系窒化物を母体結晶とする窒化物蛍光体の製造方法。
【請求項１１】
多元系窒化物を母体結晶とする多元系窒化物蛍光体であって、多元系窒化物が、ケイ素とマグネシウムあるいはケイ素とランタンから構成され、多元系窒化物母体結晶中に発光中心となる元素又はその化合物を固溶させた構造を有し、２２０ｎｍから５５０ｎｍの範囲の波長の光の全部又は一部を励起光とし、青色から緑色にかけての波長の光を発光する蛍光物性を有することを特徴とする窒化物蛍光体。
【請求項１２】
母体結晶となる多元系窒化物の結晶構造が、ＬａＳｉ３Ｎ５であり、発光中心を形成する元素Ｒｅが、組成式Ｌａ１−ｙＲｅｙＳｉ３Ｎ５−ｘＯｘにおいて、０．００５≦ｙ≦０．２の範囲で含まれる、請求項１１に記載の窒化物蛍光体。
【請求項１３】
請求項１から１０のいずれかに記載の製造方法で得られた窒化物蛍光体と、第１の波長の光を発する発光部とを有し、前記第１の波長の光の一部又は全部を励起光とし、前記蛍光体を前記第１の波長と異なる波長で発光させることを特徴とする光源。
【請求項１４】
前記第１の波長が、２００ｎｍ〜５５０ｎｍの波長である、請求項１３に記載の光源。
【発明の詳細な説明】
【技術分野】
【０００１】
本発明は、多元系窒化物蛍光体の高効率かつ安価な製造方法及びその窒化物蛍光体に関するものであり、更に詳しくは、窒化物を構成する金属元素、半金属及びこれらの合金や化合物と発光中心となる元素を窒素中での燃焼反応を利用することにより、光学活性イオンを多元系窒化物母体中に固溶させて、極めて経済性の高い方法で多元系窒化物蛍光体を製造する方法に関するものである。本発明は、優れた安定性と高い発光輝度を持つ多元系窒化物蛍光体を、安価な原料を用いて、窒化物の燃焼合成により、短時間かつ効率的に合成することを可能とする多元系窒化物蛍光体の合成方法、及びその製品を提供するものである。
【背景技術】
【０００２】
蛍光体は、ブラウン管（ＣＲＴ）、プラズマディスプレイ（ＰＤＰ）、フィールドエミッションディスプレイ（ＦＥＤ）などのディスプレイ、蛍光灯、蛍光表示管（ＶＦＤ）などの照明装置や液晶バックライト用などの光源に使用されている。特に、従来、照明装置として用いられてきた放電式蛍光灯、白熱電球などは、水銀などの有害物質を含み、寿命が短く、発熱が大きいなどの問題を抱えていた。
【０００３】
近年になって、白色ＬＥＤ照明に必要な紫外・近紫外〜青色に発光する高輝度のＬＥＤが開発され、白色ＬＥＤ照明の実用化に向けた研究・開発が積極的に行われるようになってきた。白色ＬＥＤが実現されれば、有害物質を用いない、長寿命かつ低エネルギー消費の照明として大きな利点を有する。白色ＬＥＤ照明の方式として、２つの方式が提案されている。
【０００４】
一つは、高輝度の赤色ＬＥＤ（Ｒ）、青色ＬＥＤ（Ｂ）、緑色ＬＥＤ（Ｇ）の３色のＬＥＤを組み合わせて使用するマルチチップ型の方式である。もう一方は、近年になって開発された高輝度の紫外ＬＥＤあるいは青色ＬＥＤを用い、これらのＬＥＤから発生する紫外から青色の光で励起される蛍光体を組み合わせた１チップ型方式である。前者の方式は、モジュール光源であるため、Ｒ・Ｇ・Ｂを混色するための導光路が複雑で、コストが高くなるといった問題がある。
【０００５】
後者の１チップ型方式は、小型化が可能であり、発光を混色するための導光路が単純であり、低コスト化が可能であることから、注目が集まっている。この１チップ型方式には、更に二つの方式が考えられている。一つは、高輝度青色ＬＥＤと、この青色ＬＥＤから発生する青色光により励起され黄色発光する蛍光体と組合せ、青色と黄色発光の補色関係を利用して白色を得るものである。
【０００６】
この高輝度青色ＬＥＤと黄色蛍光体の組合せは、可視光領域の長波長側の発光が不足し、演色性が劣るといった問題があり、近年、紫外線発光するＬＥＤと紫外光により励起され赤色発光（Ｒ）、緑色発光（Ｇ）、青色発光（Ｂ）が可能な蛍光体などの蛍光体材料を組み合わせて、より自然光に近い白色を得る方式が注目されている。
【０００７】
しかし、これまで用いられてきた酸化物系蛍光体、ケイ酸塩蛍光体、リン酸塩蛍光体、硫化物蛍光体などの蛍光体は、長波長側において高輝度の発光が得られ難い。また、これら従来の蛍光体は、紫外線などの高いエネルギーが照射された場合に、輝度が低下するという問題があった。
【０００８】
このように、高輝度かつ演色性に優れた白色ＬＥＤの開発においては、紫外光により４２０−４７０ｎｍの青色、５００−５５０ｎｍの緑色、６１０−６６０ｎｍの赤色など、多彩な波長の高輝度発光を可能とする蛍光体の開発が求められていた。
【０００９】
このような背景のもと、近年、窒化物、酸窒化物、サイアロンなどを母体結晶とする蛍光体が盛んに研究されるようになり、多様な蛍光体が開発されている。従来の蛍光体材料と比較して、これらの窒化物系蛍光体材料は、１）共有結合性が強く、安定性に優れる、２）窒素の導入により共有結合性が増大し、励起及び発光波長が長波長側にシフトすることにより、ＬＥＤ用途に適した蛍光体を提供できる、３）窒化物系蛍光体材料は、幅広い固溶体域を持つ化合物が多く、組成制御の範囲が広がることにより、励起・発光特性を制御しやすい、という利点を持つ。
【００１０】
代表的な酸窒化物として、α−サイアロン及びβ−サイアロンがある。α−サイアロン（ＭｅｘＳｉ１２−（ｍ＋ｎ）Ａｌ（ｍ＋ｎ）ＯｎＮ１６−ｎ：ＭｅはＬｉ，Ｃａ，Ｍｇ，Ｙ，又はＬａとＣｅを除くランタニド金属）は、α−窒化ケイ素構造（α−Ｓｉ３Ｎ４）において、Ｓｉ位置へのＡｌの置換固溶、Ｎ位置へのＯの置換固溶及び格子間へのＭｅイオンの侵入固溶により生成する。また、βサイアロン（Ｓｉ６−ｚＡｌｚＯｚＮ８−ｚ：０＜ｚ≦４．２）は、β−窒化ケイ素構造（β−Ｓｉ３Ｎ４）において、Ｓｉ位置へのＡｌの置換固溶、Ｎ位置へのＯの置換固溶が生じたものである。
【００１１】
例えば、α−サイアロンを母体結晶とする蛍光体に関しては、励起ピークが従来の蛍光体に比べて長波長側にシフトし、青色発光ＬＥＤにより効率的に発光するα−サイアロン蛍光体が、先行技術文献である特許文献１に開示されている。更に、特許文献２には、Ｃａ，Ｅｕを含むα−サイアロン（ＣａａＥｕｂＳｉｃＡｌｄＯｅＮｆ）が特定の組成領域で従来のサイアロン蛍光体よりも高い輝度の黄色発光を示すことが開示されている。また、特許文献３には、紫外光により励起され高輝度の青色発光するα−サイアロン蛍光体が開示されている。β−サイアロンを母体結晶とする蛍光体に関しては、特許文献４に、紫外光により励起され高輝度の緑色発光する蛍光体が開示されている。
【００１２】
一方、サイアロンを母体結晶としない、多元系酸窒化物蛍光体も開示されている。例えば、先行技術文献である非特許文献１には、論文著者らにより始めて合成されたとされるＬａＥｕＳｉ２Ｎ３Ｏ２が近紫外光の励起により赤色発光することが報告されている。該文献では、通常は、紫から黄色の発光を示すＥｕ２＋発光イオンが、ＬａＥｕＳｉ２Ｎ３Ｏ２結晶において、赤色発光を示すのは、Ｅｕ２＋イオンがＮ３−イオンに取り囲まれた構造を持つことであると説明し、窒化物系蛍光体が長波長発光に有効な母体結晶であることを例示している。
【００１３】
更に、母体結晶に酸素を含まない多元系窒化物蛍光体も数多く報告されている。例えば、前出の非特許文献１には、ＬａＳｉ３Ｎ５を母体結晶とし、Ｌａ位置にＥｕを置換させたＬａ０．９Ｅｕ０．１Ｓｉ３Ｎ５−ｘＯｘが、近紫外光の励起により緑色発光を示すことが報告されている。また、特許文献５には、ＬａＳｉ３Ｎ５を母体結晶とし、Ｌａ位置にＣｅを置換固溶させたＬａ１−ｙＣｅｙＳｉ３Ｎ５が紫外線照射により青色発光を示すことが開示されている。
【００１４】
更に、特許文献６には、ＣａＡｌＳｉＮ３を母体結晶とし、Ｅｕを賦活元素として、Ｃａの一部を置換固溶させた蛍光体は、青色光で励起され赤色光を発光することが、また、特許文献７には、ＣａＡｌ２Ｓｉ４Ｎ８を母体結晶とし、Ｅｕを賦活元素として、Ｃａの一部を置換固溶させた蛍光体は、近紫外から緑色にかけて幅広い励起帯を有し、黄色から赤色にかけてブロ−ドな発光を示すことが開示されている。
【００１５】
ここで例示したＬａＳｉ３Ｎ５やＣａＡｌＳｉＮ３を母体結晶とし、賦活元素を添加した多元系の窒化物は、理論的には結晶格子中に酸素を固溶させることなく賦活元素を置換固溶させることができる。賦活元素が酸化物として添加され、あるいは出発原料を窒化物として用いた場合にも、不可避的に存在する窒化物中の不純物酸素が蛍光体合成時に格子中に取り込まれ、微量の酸素を含む化合物となることが明らかとされている。例えば、ＬａＳｉ３Ｎ５系蛍光体では、Ｌａ１−ｙＲｅｙＳｉ３Ｎ５−ｘＯｘ等の表現で表されることが多い。本発明では、母体結晶の結晶構造に準じて、これらの合成物も多元系窒化物と呼ぶ。
【００１６】
これらの窒化物、酸窒化物系の蛍光体は、次のような方法で合成される。例えば、特許文献１では、窒化ケイ素（Ｓｉ３Ｎ４）、窒化アルミニウム（ＡｌＮ）、酸化カルシウム（ＣａＯ）、酸化ユーロピウム（Ｅｕ２Ｏ３）を原料として、ホットプレス装置を用い、２０ＭＰａの加圧下、１７００℃、１ａｔｍの窒素雰囲気中で１時間反応させて、Ｃａ−アルファサイアロン（Ｃａ０．７５Ｓｉ９．７５Ａｌ２．２５Ｎ１５．２５Ｏ０．７５）及びＥｕ−アルファサイアロン（Ｅｕ０．５Ｓｉ９．７５Ａｌ２．２５Ｎ１５．２５Ｏ０．７５）を合成し、更にこれらの粉末を原料として所定の割合に混合し、更にホットプレス装置を用い、２０ＭＰａの加圧下、１７００℃、１ａｔｍの窒素雰囲気中で１時間反応させ、青色ＬＥＤで黄色発光を示すアルファサイアロン（Ｅｕ，Ｃａ固溶）を合成している。
【００１７】
また、特許文献３では、Ｃｅ０．５（Ｓｉ，Ａｌ）１２（Ｏ，Ｎ）１６で表されるαサイアロンを次のプロセスで合成している。窒化ケイ素粉末と窒化アルミニウム粉末と酸化セリウムの所定量を秤量し、更に結晶成長の核となるα型サイアロン粉末を５重量％添加し、湿式ボールミルにより２時間混合して得られた混合物を金型で円盤状に成形する。更に、該文献では、成形体を窒化ホウ素製のるつぼに入れて３０ＭＰａの加圧窒素中、２２００℃で２時間保持し、焼成後、生成物をメノウの乳鉢で粉砕して得られ粉末は、波長３６５ｎｍの光を発するランプで照射した場合、青色に発光する蛍光体であることを明らかにしている。
【００１８】
更に、ＬａＳｉ３Ｎ５を母体結晶とする蛍光体等の多元系窒化物蛍光体の合成には、酸化され易い不安定な窒化物原料を用いる必要があるため、混合をグロ−ブボックス中で行うなど、更に複雑かつ高価なプロセスを必要とする。例えば、特許文献５では、３５８ｎｍの紫外線照射下で青色発光を可能とするＬａ０．７Ｃｅ０．３Ｓｉ３Ｎ５を合成するために、ＬａＮ，ＣｅＮ，及びＳｉ３Ｎ４を原料粉末とし、モル比でＬａＮ：ＣｅＮ：Ｓｉ３Ｎ４＝０．７：０．３：１．０となるように各原料粉末を秤量し、これら原料粉末をアルゴンガス雰囲気としたグローブボックス内で混合し、得られた混合粉末をペレットに成形後、反応焼結炉を用いて、１０気圧の窒素雰囲気下において１９００℃、２時間の条件で加熱することが開示されている。
【００１９】
また、非特許文献１では、Ｌａ０．９Ｅｕ０．１Ｓｉ３Ｎ５−ｘＯｘの合成において、予めＬａ金属をアンモニアと反応させて合成したＬａＮ、及び市販のＳｉ３Ｎ４粉末及びＥｕ２Ｏ３粉末を出発原料として用い、所定量を秤量・混合したものを１．０１ｘ１０６Ｎｍ−２の加圧窒素中１９００℃で２時間加熱して合成している。混合の詳細についての記載はないが、酸化し易いＬａＮを用いているので、酸素量を制御するために、混合操作は、当然のこととして、グローブボックス等の装置の中で行う必要がある。
【００２０】
このように、従来の多元系窒化物あるいは多元系酸窒化物蛍光体材料の合成には、１）主原料として高価な窒化物を用いる、２）窒化物は、強い共有結合性を持ち、拡散係数が小さいため、合成反応には、高温で長時間の加熱を要する、３）また、場合によっては、反応を促進させるため、ホットプレスを用いて緻密体として蛍光体を合成し、その後に粉末に粉砕する、という煩雑かつエネルギー消費量の多いプロセスを必要とする。更に、ＬａＳｉ３Ｎ５、ＣａＡｌＳｉＮ３系蛍光体等の多くの多元系窒化物蛍光体の合成には、上記で説明したように、合成にコストと多大なエネルギーを必要とする。
【００２１】
更に、多くの多元系窒化物では、ＬａＮやＣａ３Ｎ２など大気中で酸化されやすい不安定な窒化物を出発原料の一部と用いる必要があり、これらの合成前の扱いにおいては、グローブボックス中での作業を必要とする。このように、従来の合成方法は、プロセスが煩雑かつ長時間を要し、工業規模での生産を考えた場合に、非常に問題の多いプロセスであった。
【００２２】
本発明者らは、多元系窒化物蛍光体の経済的な製造方法を開発するに先立ち、既に知られている窒化物の燃焼合成に着目した。窒化物の燃焼合成とは、窒素雰囲気中で金属粉末等の充填物や成形体の一箇所を強熱し、窒化燃焼反応を誘起し、以降の反応は自身の燃焼熱で自己伝播的に進む現象である。燃焼合成による窒化物の合成に関しては、これまで多くの報告がなされている。
【００２３】
例えば、非特許文献４では、粒子径５ミクロンのシリコン粉末に粒子径０．１ミクロンの窒化ケイ素粉末をＳｉ３Ｎ４／Ｓｉのモル比が０．１から０．４の範囲で添加し、充填密度４４から４６％程度に成形した後、１００気圧の加圧窒素中でカーボンヒータを用いて着火することにより、自己伝播する窒化燃焼反応を開始させ、ほぼ単一相の窒化ケイ素からなる生成物を得ている。
【００２４】
また、非特許文献５では、粒径７４ミクロンのマグネシウムと粒径０．８４ミクロンの窒化ケイ素粉末をモル比で３：１に混合し、その混合物を５ＭＰａの加圧窒素中に設置し、混合粉末上に置いたＴｉをタングステンヒータで加熱し、Ｔｉの窒化燃焼熱を利用して混合粉末の燃焼反応を誘起し、ＭｇＳｉＮ２単一相からなる生成物を得ている。
【００２５】
更に、非特許文献６では、Ｙｂ２Ｏ３，Ｓｉ，Ｓｉ３Ｎ４，Ａｌ，ＳｉＯ２それぞれの粉末を重量比で１９．５９：３２．６５：３２．６５：１３．６８：１．４３の割合で混合し、混合物を多孔質のカーボン容器に充填した後、２ＭＰａの窒素中でタングステンヒータで充填物を局熱することにより自己伝播する燃焼反応を開始させ、残留シリコンや第２相を含むものの、α−サイアロンを主体とする生成物を合成している。
【００２６】
窒化物蛍光体の燃焼合成については、特許文献８に、単純な窒化物である窒化アルミニムを母体結晶とした窒化アルミニウム系蛍光体の合成が開示されているだけである。特許文献８では、粒径４０ミクロンのアルミニウム粉末に粒径５ミクロンのＭｎＯ２粉末あるいは粒径１ミクロンのＥｕ２Ｏ３粉末あるいは粒径１ミクロンのＳｍ２Ｏ３粉末あるいは粒径１ミクロンのＴｂ４Ｏ７粉末を添加した混合粉末を、０．８ＭＰａの加圧窒素中でカーボンリボンヒータを用いた着火により燃焼合成を行い、合成粉末が、紫外線照射によりそれぞれ６００ｎｍ（赤色に近い橙色）、５３０ｎｍ（緑色）、７００ｎｍ（赤色）、５５０ｎｍ（緑色）の発光を示すことを開示している。
【００２７】
このように、窒化物そのもの及び単純な母体結晶であるＡｌＮを用いた窒化アルミニウム系蛍光体についてのみ燃焼合成の報告例はあるものの、燃焼合成を利用して光学活性イオンを多元系窒化物母体中に固溶させることに成功した報告や、更に蛍光特性を見出した報告はこれまでになかった。
【００２８】
【特許文献１】特開２００２−３６３５５４号公報
【特許文献２】特開２００５−８７９３号公報
【特許文献３】特開２００４−２７７６６３号公報
【特許文献４】特開２００５−２５５８９５号公報
【特許文献５】特開２００３−９６４４６号公報
【特許文献６】特開２００６−８９４８号公報
【特許文献７】特開２００６−５７０１８号公報
【特許文献８】特開２００５−５４１８２号公報
【非特許文献１】K. Uheda et al., Journal ofLuminescence, 87-89, 967-969 (2000)
【非特許文献２】Xie et al., J. Phys. Chem. B.,109, 9490-4 (2005)
【非特許文献３】Hirosaki et al., Appl. Phys.Lett., 86, 211905 (2005)
【非特許文献４】J. Am. Ceram. Soc., vol. 69[4] C-60 (1986)
【非特許文献５】Material Sci. and Eng., A397 pp. 65-68 (2005)
【非特許文献６】Mat. Res. Bull., 41,pp.547-552 (2006)
【発明の開示】
【発明が解決しようとする課題】
【００２９】
このような状況の中で、本発明者らは、上記従来技術に鑑みて、燃焼合成による窒化物蛍光体の合成について鋭意研究を進める過程で、優れた安定性と高い発光輝度を持つ多元系窒化物蛍光体材料を、安価な原料を用い、短時間かつ効率的に合成することが可能な経済性に優れた製造方法の開発を目指して鋭意研究を重ねた結果、燃焼合成を利用して多元系窒化物を母体結晶とする蛍光体粉末を製造することにより、上記の課題を解決できること見出し、本発明に至った。
【００３０】
すなわち、本発明は、複数以上の金属元素、半金属元素を含む多元系窒化物を母体結晶とする蛍光体において、母体結晶の構成元素の単体、母体結晶の構成元素の化合物及び構成元素の合金の少なくとも１種類と、発光中心となる元素及びその元素の化合物の少なくとも１種類とを含む原料を、窒素を除く構成元素の割合が目的とする組成の構成比となるように調合し、これらの混合物を、窒素を含む雰囲気中で自己伝播する燃焼反応を用いた燃焼合成により、多元系窒化物を母体結晶とする窒化物蛍光体を製造する方法、その窒化物蛍光体及び該蛍光体を発光させる光源を提供することを目的とするものである。
【課題を解決するための手段】
【００３１】
上記課題を解決するための本発明は、以下の技術的手段から構成される。
（１）複数の金属元素乃至半金属元素を構成元素として含む多元系窒化物を母体結晶とする多元系窒化物蛍光体を製造する方法であって、構成元素の単体、構成元素の化合物及び構成元素の合金の少なくとも１種類と、発光中心となる元素及びその元素の化合物の少なくとも１種類とを含む原料を、窒素を除く構成元素の割合が目的とする組成の構成比となるように調合し、窒素を含む雰囲気中で自己伝播する燃焼反応を用いた燃焼合成により、多元系窒化物を母体結晶とする窒化物蛍光体を製造することを特徴とする窒化物蛍光体の製造方法。
（２）多元系窒化物が、ケイ素を含む窒化物であって、ケイ素以外の構成元素の単体及びそのケイ化物の少なくとも１種類と、ケイ素及び窒化ケイ素の少なくとも１種類と、発光中心となる元素の単体及びその元素の化合物の少なくとも１種類とを含む原料を、窒素を除く構成元素の割合が目的とする組成の構成比となるように調合する、前記（１）に記載の窒化物蛍光体の製造方法。
（３）発光中心となる元素が、Ｍｎ，Ｃｅ，Ｐｒ，Ｎｄ，Ｓｍ，Ｅｕ，Ｇｄ，Ｔｂ，Ｄｙ，Ｈｏ，Ｅｒ，Ｔｍ，Ｙｂ，Ｌｕから選択される１種である、前記（１）又は（２）に記載の窒化物蛍光体の製造方法。
（４）母体結晶となる多元系窒化物が、ケイ素とマグネシウムあるいはケイ素とランタンから構成される、前記（１）から（３）のいずれかに記載の窒化物蛍光体の製造方法。
（５）母体結晶となる多元系窒化物が、ＬａＳｉ３Ｎ５あるいはＭｇＳｉＮ２の結晶構造を持つ、前記（１）から（４）のいずれかに記載の窒化物蛍光体の製造方法。
（６）母体結晶となる多元系窒化物の結晶構造が、ＬａＳｉ３Ｎ５であって、発光中心を形成する元素Ｒｅが、組成式Ｌａ１−ｙＲｅｙＳｉ３Ｎ５−ｘＯｘ（Ｒｅ：発光中心となる元素）において、０．００５≦ｙ≦０．２の範囲で含まれるように該Ｒｅを添加する、前記（５）に記載の窒化物蛍光体の製造方法。
（７）耐圧気密容器中において、少なくとも１気圧の窒素分圧中で燃焼合成を行う、前記（１）から（６）のいずれかに記載の窒化物蛍光体の製造方法。
（８）燃焼合成を行うための耐圧気密容器がガス浄化装置を介して接続されたシステムを用いて、１）第１耐圧気密容器内に設置した出発原料について、１気圧又はそれを上回る気圧の窒素を含むガス圧中で燃焼合成を行い、２）予め次の出発原料を設置し、真空ポンプで真空状態にされた第２耐圧気密容器にガス浄化装置を通して、第１耐圧気密容器内の残りのガスを第２耐圧気密容器に充填させ、また適宜補充用ガスを補充し、３）その後、第２耐圧気密容器内で原料の燃焼合成を行い、４）この間に、第１耐圧気密容器内の合成物を取り出し、次の原料を設置し、内部を真空引きし、５）燃焼合成を終えた耐圧容器よりガス浄化装置でガスを高純度化させ、容器に窒素を充填する、また、適宜補充用ガスを補充する、ことにより、窒素ガスを有効に利用しかつ効率的に燃焼合成を行う、前記（１）から（７）のいずれかに記載の窒化物蛍光体の製造方法。
（９）上記システムにおいて、ガス浄化装置を介して耐圧気密容器を少なくても３組接続する、前記（８）に記載の窒化物蛍光体の製造方法。
（１０）前記（１）から（９）のいずれかに記載の方法で得られる窒化物を、窒素を含む雰囲気中少なくても１０００℃の高温度でアニール処理を行うことを特徴とする多元系窒化物を母体結晶とする窒化物蛍光体の製造方法。
（１１）多元系窒化物を母体結晶とする多元系窒化物蛍光体であって、多元系窒化物が、ケイ素とマグネシウムあるいはケイ素とランタンから構成され、多元系窒化物母体結晶中に発光中心となる元素又はその化合物を固溶させた構造を有し、２２０ｎｍから５５０ｎｍの範囲の波長の光の全部又は一部を励起光とし、青色から緑色にかけての波長の光を発光する蛍光物性を有することを特徴とする窒化物蛍光体。
（１２）母体結晶となる多元系窒化物の結晶構造が、ＬａＳｉ３Ｎ５であり、発光中心を形成する元素Ｒｅが、組成式Ｌａ１−ｙＲｅｙＳｉ３Ｎ５−ｘＯｘにおいて、０．００５≦ｙ≦０．２の範囲で含まれる、前記（１１）に記載の窒化物蛍光体。
（１３）前記（１）から（１０）のいずれかに記載の製造方法で得られた窒化物蛍光体と、第１の波長の光を発する発光部とを有し、前記第１の波長の光の一部又は全部を励起光とし、前記蛍光体を前記第１の波長と異なる波長で発光させることを特徴とする光源。
（１４）前記第１の波長が、２００ｎｍ〜５５０ｎｍの波長である、前記（１３）に記載の光源。
【００３２】
次に、本発明について更に詳細に説明する。
本発明では、多元系窒化物蛍光体の燃焼合成のための出発原料としては、窒素と反応して持続的な燃焼を可能とするための原料に、蛍光体特性を発現させるための発光中心となる元素を含有する原料を添加したものが用いられる。前者の原料としては、多元系窒化物を構成する元素の金属、シリコンなどの半金属、これらの元素の水素化物、更にはケイ素を含む窒化物においては、ケイ化物などの化合物及びこれらの元素の合金、などが挙げられる。
【００３３】
蛍光体の母体結晶となる多元系窒化物として、好適には、例えば、ＬａＳｉ３Ｎ５、ＭｇＳｉＮ２、ＣａＡｌＳｉＮ３、ＣａＳｉＮ２、ＺｎＳｉＮ２、Ｍ２Ｓｉ５Ｎ８（Ｍ＝Ｃａ，Ｓｒ，Ｂａ）、ＢａＹＳｉ４Ｎ７などが例示される。後者の発光中心を形成させるために添加する元素としては、Ｍｎ及び希土類元素及びこれらの化合物が挙げられる。
【００３４】
生成物は、簡単に解砕することができる凝集塊として得られる。しかし、充填量が多い場合には、中心部に熱が蓄積され、部分的な焼結が進行し、合成物の解砕が難しいこと、あるいは燃焼のフロントで部分的に原料が溶融し、未反応物が残留することがある。このような場合、燃焼温度を調整し、更に原料中の金属粉末粒子などが溶融溶着するのを防ぐ目的で、フィラーとして構成元素の窒化物、母体結晶である多元系窒化物、最終目標物である多元系窒化物蛍光体などの窒化物を燃焼反応の伝播を妨げない範囲で添加することが望ましい。
【００３５】
発光中心を形成させるための添加物としては、Ｍｎ，Ｃｅ，Ｐｒ，Ｎｄ，Ｓｍ，Ｅｕ，Ｇｄ，Ｔｂ，Ｄｙ，Ｈｏ，Ｅｒ，Ｔｍ，Ｙｂ，Ｌｕの元素の中から少なくとも１種類を選択し、その金属単体あるいは化合物として添加する。発光中心を形成する元素の添加量は、母体となる結晶に応じて適宜調整することが望ましい。添加量が少ないと、発光輝度が小さく、一方、必要量以上に添加すると濃度消失と呼ばれる現象により輝度が低下する。
【００３６】
特に、ＬａＳｉ３Ｎ５を母体結晶とした蛍光体では、組成式Ｌａ１−ｙＲｅｙＳｉ３Ｎ５−ｘＯｘ（Ｒｅ：発光中心を形成する元素）において、０．００５≦ｘ≦０．２の範囲で添加する。置換する量が０．５原子量％より少ない（０．００５≦ｙ）と十分な輝度が得られず、一方、２０原子量％より多い（ｙ≦０．２）と濃度消光により再び輝度が低下する。発光中心を形成する元素は、単体である金属あるいはその酸化物、窒化物などの化合物あるいは母体結晶である多元系窒化物の構成金属元素との化合物や合金として添加することができる。
【００３７】
原料粉末の粒子径は１００ミクロン以下であることが好ましい。１００ミクロンを超えると、十分な反応が進行せず、燃焼が途中で停止し、あるいは未反応物が残留する可能性がある。発光中心を形成させる元素については、原料粉末の粒径は１０ミクロン以下であることが好ましい。これは、少ない添加量のこれらの元素を母体結晶中に均一に固溶させるためである。粒子径が１０ミクロン以上であると、母体結晶中に均一に固溶することが難しくなり、発光輝度が低下する。更に、可能であれば、より均一な固溶を可能とするために、発光中心となる元素を多元系窒化物を構成する金属元素や半金属元素との合金や化合物として添加することも均質な固溶を促進するために好ましい。
【００３８】
目的とする配合組成に秤量した原料粉末は、例えば、乳鉢、ボールミル、遊星ミル、ジェットミルなどを用いて十分に混合する。得られた混合物は、カーボン製容器などの耐熱性の容器に充填する。燃焼反応時の窒素の供給を促進するためにも、容器は多孔質とすることが好ましい。原料粉末を充填した容器は、気密性の容器内に納め、気密性容器内部を窒素を含む非酸化性の雰囲気とする。燃焼の伝播反応を促進するため、窒素の圧力を１気圧以上、好ましくは１０気圧以上に加圧する。液体窒素を窒素の供給源として用いることもできる。
【００３９】
燃焼反応は、１）充填した粉末原料に接触させた着火剤の燃焼熱を利用する手法、２）カーボンヒ−タ、タングステンヒータなどのヒータにより直接原料の一部を局熱する方法、３）マイクロ波照射等のエネルギー源を用いて原料の一部を局熱する方法、などにより開始される。図２は、充填した粉末原料に接触させた着火剤をカーボンヒータで着火し、その燃焼熱で出発原料の窒化燃焼反応を開始する場合の例である。
【００４０】
燃焼反応は、通常、数分以内に完了する。生成物が冷却されるのを待って、容器から取り出す。生成物は、通常、軽い凝集塊として得られるので、必要に応じて解砕する。燃焼合成により蛍光体の合成を行った場合、試料が急速に冷却され、結晶内部に残留応力によるひずみなどが生じ、発光輝度が低くなることも考えられる。このため、必要に応じて、燃焼合成物を、窒素を含む雰囲気中、１０００℃以上の温度でアニール処理する。
【００４１】
窒化物の燃焼合成を出発原料の内部まで均一に行うためには、窒素の圧力は１０気圧以上に加圧すことが好ましいが、燃焼合成後に窒素を大気中に放出することは、合成される蛍光体のコストを高いものにする。このため、図１に例示し、次に述べるように、合成に用いる窒素を再利用する半連続式の窒化物合成システムを構築することが好ましい。
【００４２】
即ち、燃焼合成を行うための耐圧気密容器が、ガス浄化装置を介して接続されたシステムであり、１）耐圧気密容器ａ１内に設置した出発原料ｃ１について、１気圧以上の窒素を含むガス圧中で燃焼合成を行う、２）予め次の出発原料ｃ２を設置し、真空ポンプｅで真空状態にされた耐圧気密容器ａ２にガス浄化装置ｆ１を通して、耐圧気密容器ａ１内の残りのガスを耐圧気密容器ａ２に充填させ、また、必要に応じて、補充用ガスｈを補充する、３）その後、耐圧気密容器ａ２内で原料ｃ２の燃焼合成を行う、４）この間に、耐圧気密容器ａ１内の合成物を取り出し、次の原料を設置し、内部を真空引きし、５）燃焼合成を終えた耐圧容器ａ２よりガス浄化装置ｆ２でガスを高純度化させ容器ａ１に窒素を充填する、また、必要に応じて、補充用ガスｈを補充する、ことにより、窒素ガスを有効に利用し、かつ効率的に燃焼合成を可能とする。
【００４３】
従来、窒化物蛍光体の燃焼合成については、単純な窒化物である窒化アルミニウムを母体結晶とした窒化アルミニウム系蛍光体を合成する事例があったが、燃焼合成を利用して光学活性イオンを多元系窒化物母体中に固溶させること、それにより蛍光特性が得られることを見出した例はなかった。これに対し、本発明は、燃焼合成を利用して、母体結晶の多元系窒化物が、ケイ素とマグネシウムあるいはケイ素とランタンから構成され、光学活性イオンを多元系窒化物母体中に固溶させた構造を有し、２２０ｎｍから５５０ｎｍの範囲の波長の光の全部又は一部を励起光とし、青色から緑色にかけての波長の光を発光する蛍光特性を有する多元系窒化物蛍光体を合成することに成功したものである。
【発明の効果】
【００４４】
本発明により、次のような効果が奏される。
（１）本発明により、多元系窒化物蛍光体の高効率かつ安価な製造方法を提供することができる。
（２）本発明では、優れた安定性と高い発光輝度を持つ多元系窒化物蛍光体材料を、安価な原料を用い、短時間かつ効率的に合成することが可能な多元系窒化物蛍光体材料の製造方法を提供することができる。
（３）燃焼合成を利用して、多元系窒化物を母材結晶とする蛍光体粉末を製造する方法及びその窒化物蛍光体を提供することができる。
（４）前記蛍光体を発光させることから成る光源を提供することができる。
（５）励起・発光特性を制御しやすい、幅広い固溶体域を持つ化合物から成る、ＬＥＤ用途に好適な多元系窒化物蛍光体を提供することができる。
（６）出発原料として、金属あるいは半金属合金元素の合金を用いることができ、発光中心を母体結晶中に均質に固溶させることが可能であり、高い発光効率を持つ蛍光体を作製することができる。
【発明を実施するための最良の形態】
【００４５】
次に、実施例により本発明を具体的に説明するが、本発明は、以下の実施例によって何ら限定されるものではない。
【実施例１】
【００４６】
出発原料として、ＬａＳｉ粉末（純度＞９９．９％）、平均粒子径１ミクロンのＳｉ粉末（純度＞９９．９％）、平均粒子径０．１ミクロンのα−Ｓｉ３Ｎ４粉末（純度＞９９．９％）、酸化ユーロピウム粉末（Ｅｕ２Ｏ３、純度＞９９．９％）を用いた。各原料粉末を、ＬａＳｉ：Ｅｕ２Ｏ３：Ｓｉ：Ｓｉ３Ｎ４＝０．９０：０．０５：０．４５：０．５５のモル比となるように秤量した。この出発組成は、窒化反応が完全に生じた場合に、Ｌａ０．９Ｅｕ０．１Ｓｉ３Ｎ５−ｘＯｘとなる。
【００４７】
秤量した粉末をメタノールを溶媒として窒化ケイ素製ボールと窒化ケイ素製ポットを用いて遊星ミルで２時間混合した。ロータリーエバポレータを用いて溶媒を蒸発させた後、更に真空乾燥器で１１０℃、１２時間乾燥させた。その後、乾燥物を１００メッシュの篩を通過させて燃焼合成用の出発原料とした。混合粉末約１５ｇを外径３５ｍｍ、内径２４ｍｍ、高さ４０ｍｍの多孔質カーボン容器に深さ３５ｍｍとなるように充填した後、高圧容器内に設置し、高圧容器内をロータリーポンプで一旦真空に引いた後、純度９９．９９％の窒素ガスを６０気圧となるように充填した。
【００４８】
燃焼反応は、図２に示すように、粉末充填物の上部に置いたチタン粉末成形体を着火剤として、着火剤上部のカーボンヒータを通電加熱により赤熱させ、着火剤の窒化燃焼熱を利用して窒化反応を伴う燃焼合成反応を開始させた。燃焼反応は、１分程度で完了した。このようにして得られた生成物は、乳鉢で簡単に解砕し、粉末状にすることができた。
【００４９】
合成粉末について、Ｘ線回折による結晶相の同定を行った結果、生成物は、ＬａＳｉ３Ｎ５単一相であった。図３に、合成粉末のＸ線回折パターンを示す。全てのピークは、ＬａＳｉ３Ｎ５相として指数付けを行うことができ、未反応物、副生成物は認められなかった。
【００５０】
合成粉末について、分光蛍光光度計を用いて、励起及び発光スペクトルを測定した結果、３３５ｎｍに励起スペクトルのピークがあり、３３５ｎｍの励起による発光スペクトルにおいて、５５３ｎｍの緑色光にピークがある蛍光体であることが明らかとなった。
【００５１】
［実施例２から５］
出発原料として、ＬａＳｉ粉末（純度＞９９．９％）、平均粒径１ミクロンのＳｉ粉末（純度＞９９．９％）、酸化ユーロピウム粉末（Ｅｕ２Ｏ３、純度＞９９．９％）を用いた。各原料粉末を、表１の実施例２から５に示す組成となるように秤量した。これらの出発組成は、窒化反応が完全に生じた場合に、Ｌａ１−ｙＥｕｙＳｉ３Ｎ５−ｘＯｘとの組成式において、ｙ＝０．０１，０．０２，０．０５，０．１に相当する。実施例１と同様な方法で、混合、燃焼合成を行い、燃焼生成物を得た。燃焼反応は、いずれの場合も１分程度で完了した。
【００５２】
このようにして得られた生成物は、乳鉢で簡単に解砕し、粉末状にすることができた。合成粉末について、Ｘ線回折による結晶相の同定を行った結果、いずれの生成物もＬａＳｉ３Ｎ５単一相であった。図４に、合成粉末の走査電子顕微鏡写真の一例を示す。いずれの場合も、数マイクロメータの大きさの粒子からなる成る粉末であることがわかる。また、粒子は、ネック部分が幾分ネッキングしているものの、基本的に凝集の少ないものであることがわかる。
【００５３】
図５に、それぞれの生成物の励起スペクトルを、図６に、それぞれの試料の発光スペクトルを示す。いずれの生成物も、３３５ｎｍに励起スペクトルのピークがあり、３３５ｎｍの励起による発光スペクトルにおいて、ｙ＝０．０１，０．０２，０．０５，０．１組成について、それぞれ５３９，５４４，５４８及び５５３ｎｍの緑色光にピークがある蛍光体であることが明らかとなった。
【００５４】
［実施例６］
出発原料として、ＬａＳｉ粉末（純度＞９９．９％）、Ｓｉ粉末（純度＞９９．９％）、及び酸化イッテリビウム（Ｙｂ２Ｏ３、純度＞９９．９％）を用いた。原料粉末を、表１の実施例６に示す組成となるように秤量した。この出発組成は、窒化反応が完全に生じた場合に、Ｌａ０．９５Ｙｂ０．０５Ｓｉ３Ｎ５−ｘＯｘの組成に相当する。
【００５５】
実施例１と同様な方法で、混合、燃焼合成を行い、燃焼生成物を得た。燃焼反応は、いずれの場合も１分程度で完了した。このようにして得られた生成物は、乳鉢で簡単に解砕し、粉末状にすることができた。合成粉末について、Ｘ線回折による結晶相の同定を行った結果、ＬａＳｉ３Ｎ５単一相であった。
【００５６】
［実施例７及び８］
出発原料として、ＬａＳｉ粉末（純度＞９９．９％）、Ｓｉ粉末（純度＞９９．９％）、酸化セリウム（ＣｅＯ２、純度＞９９．９％）、酸化サマリウム（Ｓｍ２Ｏ３、純度＞９９．９％）を用いた。各原料粉末を、表１の実施例７及び８に示す組成となるように秤量した。これらの出発組成は、窒化反応が完全に生じた場合に、Ｌａ０．９５Ｒｅ０．０５Ｓｉ３Ｎ５−ｘＯｘ（Ｒｅ：ＣｅあるいはＳｍ）の組成に相当する。実施例１と同様な方法で、混合、燃焼合成を行い燃焼生成物を得た。
【００５７】
【表１】
2008255199.tif 000003
【００５８】
燃焼反応は、いずれの場合も１分程度で完了した。このようにして得られた生成物は、乳鉢で簡単に解砕し、粉末状にすることができた。合成粉末について、Ｘ線回折による結晶相の同定を行った結果、いずれの生成物もＬａＳｉ３Ｎ５単一相であった。
【００５９】
合成粉末について、分光蛍光光度計を用いて、励起及び発光スペクトルを測定した結果、酸化セリウムを添加した場合、３３５ｎｍに励起スペクトルのピークと４２５ｎｍ付近にピークを持つ青色発光を、また、酸化サマリウムを添加した場合、３２８ｎｍに励起スペクトルのピークと５６４，６００，６１４ｎｍに３つの発光ピークを示すことが明らかとなった。
【産業上の利用可能性】
【００６０】
以上詳述したように、本発明は、燃焼合成による多元系窒化物蛍光体の製造方法及び多元系窒化物蛍光体に係るものであり、本発明により、多元系窒化物蛍光体の高効率かつ安価な製造方法及びその蛍光体材料を提供することができる。従来の合成方法は、プロセスが煩雑かつ長時間を要し、工業規模での生産を考えた場合に問題の多いプロセスであったが、本発明は、安価な原料を用い、短時間かつ効率的に多元系窒化物蛍光体材料を製造し、提供することを可能とする当該多元系窒化物蛍光体の製造技術を提供するものとして有用である。
【図面の簡単な説明】
【００６１】
【図１】半連続式の窒化物合成用燃焼合成システムの概略図を示す。
【図２】多元系窒化物蛍光体の燃焼合成プロセス概略を示す。
【図３】実施例１の燃焼合成物のＸ線回折パターンを示す。
【図４】実施例３及び４で得られた燃焼合成物の電子顕微鏡写真を示す。
【図５】実施例２、３、４及び５の燃焼合成で得られた生成物の励起スペクトルを示す。
【図６】実施例２、３、４及び５の燃焼合成で得られた生成物の発光スペクトルを示す。
【図３】
2008255199.tif 000004
【図５】
2008255199.tif 000005
【図６】
2008255199.tif 000006
【図１】
2008255199.tif 000007
【図２】
2008255199.tif 000008
【図４】
2008255199.tif 000009